(57)【要約】【課題】  遊技機内における電気的なノイズの伝達を規制することが可能な遊技機を提供する。【解決手段】  本発明の遊技機によれば、施解錠機構２００に備えられた主動アッシ１００と従動アッシ１７０との間を絶縁状態にしたから、施解錠機構２００を通じて電気が流れることが防止され、パチンコ遊技機において電気的ノイズの照射部分の拡大を規制することができる。また、不正行為により、前面枠９５に固定した補強金属部材１６０から遊技盤１１に向けてノイズを照射することも防止可能である。【選択図】  図１９
2004209296.tif 000002
【特許請求の範囲】
【請求項１】
外枠に対して開閉自在に設けられた内枠と、
前記内枠に対して開閉自在に設けられた前面枠と、
前記内枠を閉鎖状態で施解錠するための施解錠機構とを備え、
前記施解錠機構は、主動機構部と従動機構部とを備えてなり、
前記従動機構部は、前記前面枠又は前記内枠のうち何れか一方に配置されて、他方に備えた被係合部に係合することで前記前面枠を閉鎖状態に施錠し、
前記主動機構部は、遊技機のうち操作可能な位置に配置されて操作により作動し、その作動した前記主動機構部に従動して、前記従動機構部が前記被係合部との係合を解除する遊技機において、
前記従動機構部と前記主動機構部との間を絶縁状態にしたことを特徴とする遊技機。
【請求項２】
前記施解錠機構は、別部品である２つのアッシを備え、前記従動機構部と前記主動機構部とが、別々の前記アッシに含められたことを特徴とする請求項１記載の遊技機。
【請求項３】
前記従動機構部と前記主動機構部とには、それぞれに導電部が備えられ、それら従動機構部と主動機構部との導電部同士の間を絶縁状態にしたことを特徴とする請求項１又は２に記載の遊技機。
【請求項４】
前記主動機構部には、解錠操作部と、前記解錠操作部の操作により作動する解錠作用部とが備えられ、
前記解錠作用部は、導電部を有すると共に、作動したときに前記従動機構部に当接して、前記従動機構部と前記被係合部との係合を解除するための力を伝えることを特徴とする請求項３に記載の遊技機。
【請求項５】
前記解錠操作部と、前記解錠作用部及び前記被係合部のそれぞれには、それぞれに導電部が備えられ、前記解錠操作部、前記解錠作用部、前記被係合部及び前記従動機構部との少なくとも何れか２つの導電部同士の間を絶縁したことを特徴とする請求項４に記載の遊技機。
【請求項６】
前記従動機構部及び前記主動機構部は、共に前記内枠に設けられたことを特徴とする請求項４又は５に記載の遊技機。
【請求項７】
前記解錠操作部は、遊技機の前面側に露出されたことを特徴とする請求項４乃至６の何れかに記載の遊技機。
【請求項８】
前記内枠には遊技盤が固定されると共に、前記前面枠には透視可能な透過性部材が固定され、その透過性部材を通して前記遊技盤が透視されるように構成したことを特徴とする請求項１乃至７の何れかに記載の遊技機。
【請求項９】
前記前面枠の後面には、補強金属部材が設けられ、
前記被係合部又は前記従動機構部のうち前記前面枠に配置された何れか一方が、前記補強金属部材に導通していることを特徴とする請求項５乃至８の何れかに記載の遊技機。
【請求項１０】
前記前面枠を閉鎖した状態において、前記従動機構部の導電部と前記被係合部の導電部とが導通可能であり、且つ前記解錠操作部の導電部と前記解錠作用部の導電部とが導通可能であることを特徴とする請求項５乃至９の何れかに記載の遊技機。
【請求項１１】
前記前面枠を閉鎖した状態において、前記解錠操作部の操作時には、前記解錠操作部の導電部と、前記解錠作用部の導電部と、前記従動機構部の導電部と、前記被係合部の導電部とが導通状態となり、
前記解錠操作部の非操作時では、前記解錠操作部の導電部と、前記解錠作用部の導電部と、前記従動機構部の導電部と、前記被係合部の導電部との少なくとも何れか２つの導電部同士の間が絶縁状態となるように構成したことを特徴とする請求項１０に記載の遊技機。
【請求項１２】
前記解錠操作部の非操作時には、前記解錠操作部の導電部と、前記解錠作用部の導電部と、前記従動機構部の導電部と、前記被係合部の導電部との少なくとも何れか２つの導電部同士の間を離間させることで絶縁状態となるように構成したことを特徴とする請求項１１に記載の遊技機。
【請求項１３】
前記導電部同士の間の離間距離を、３ｍｍ以上に設定したことを特徴とする請求項１２に記載の遊技機。
【請求項１４】
前記解錠作用部の導電部と、前記従動機構部の導電部の相互の当接部分のうち少なくとも何れか一方を絶縁部材で覆ったことを特徴とする請求項１０に記載の遊技機。
【請求項１５】
前記遊技盤には、電気信号を出力する電気素子が設けられると共に、前記遊技機の裏面側には、前記電気素子から信号を受けて遊技を制御する制御手段が設けられたことを特徴とする請求項１乃至１４の何れかに記載の遊技機。
【請求項１６】
前記主動機構部には、前記内枠を前記外枠に対して閉鎖状態で施解錠する外枠施解錠機構が備えられたことを特徴とする請求項１乃至１５の何れかに記載の遊技機。
【請求項１７】
遊技機のうち遊技者に臨んだ前面に、前面枠を開閉可能に設けると共に、前記前面枠を施解錠するための施解錠機構の解錠操作部を前記遊技機の前面の所定位置に露出して備えた遊技機において、
前記前面枠の後面に補強金属部材を固定し、前記前面枠の前面と前記補強金属部材とを絶縁すると共に、前記施解錠機構の解錠操作部と前記補強金属部材とを絶縁状態にしたことを特徴とする遊技機。
【請求項１８】
前記施解錠機構は、別部品である主動アッシと従動アッシとを備えてなり、前記従動アッシは、前記前面枠又は前記前面枠との対向部のうち何れか一方に配置されて、他方に備えた被係合部に係合することで前記前面枠を閉鎖状態に施錠し、前記主動アッシは、遊技機のうち操作可能な位置に配置されて操作により作動し、その作動した前記主動アッシに従動して、前記従動アッシが前記被係合部との係合を解除するように構成され、
前記主動アッシの非作動時において、前記主動アッシと前記従動アッシとを絶縁状態にしたことを特徴とする請求項１７に記載の遊技機。
【請求項１９】
前記主動アッシの非作動時には、前記主動アッシと前記従動アッシとの最も接近した部分を３ｍｍ以上離すことで絶縁状態にしたことを特徴とする請求項１８に記載の遊技機。
【請求項２０】
前記主動アッシと前記従動アッシとの相互の当接部分のうち少なくとも何れか一方を絶縁部材で覆ったことを特徴とする請求項１８に記載の遊技機。
【発明の詳細な説明】
【技術分野】
【０００１】
本発明は、前面枠を施解錠するための施解錠機構を備えた遊技機に関する。
【背景技術】
【０００２】
従来の遊技機の一例としてのパチンコ遊技機では、施錠用金属アッシと解錠操作用金属アッシとを共に内枠に組み付けて施解錠装置を構成し、内枠に開閉可能に備えた前面枠を、前記施解錠装置により施解錠する構成になっていた。具体的には、通常は、施錠用金属アッシが前面枠に備えた被係合部に係合することで、前面枠が施錠されており、解錠操作用金属アッシが操作により作動されると、その解錠操作用金属アッシに従動して施錠用金属アッシと被係合部との係合が解除される。また、特開平９−１６８６５４号公報に掲載されたパチンコ遊技機における施解錠装置では、上記施錠用金属アッシと解錠操作用金属アッシとを一体化されている（特許文献１を参照）。
【特許文献１】特開２００１−２３９０４１号公報
【発明の開示】
【発明が解決しようとする課題】
【０００３】
ところで、従来の遊技機では、遊技機の前面側又は後面側の何れかに例えば静電気が発生すると、施錠用金属アッシと解錠操作用金属アッシとの間に電気が流れて、遊技機の前面側で発生した静電気ノイズが後面側に伝わったり、或いは、その逆の現象が起きたりして、遊技機に備えた電気素子に悪影響を与える虞があった。
【０００４】
また、上記した両公報に掲載のパチンコ遊技機では、解錠操作用金属アッシに備えたシリンダー錠部が遊技機の前面に露出しており、そのシリンダー錠部に高電圧を印加すると、前記両アッシ及びそれらアッシに接続された金属部品に通電して、遊技機全体にノイズが広がり、遊技機が誤動作する場合があった。このため、不正にシリンダー錠部に高電圧を印加して、遊技球を不正取得しようとする所謂ゴトが行われる虞があった。
【０００５】
本発明は、上記事情に鑑みてなされたもので、遊技機内における電気的なノイズの伝達を規制することが可能な遊技機の提供を目的とする。
【課題を解決するための手段】
【０００６】
上記目的を達成するためになされた請求項１の発明に係る遊技機は、外枠に対して開閉自在に設けられた内枠と、内枠に対して開閉自在に設けられた前面枠と、内枠を閉鎖状態で施解錠するための施解錠機構とを備え、施解錠機構は、主動機構部と従動機構部とを備えてなり、従動機構部は、前面枠又は内枠のうち何れか一方に配置されて、他方に備えた被係合部に係合することで前面枠を閉鎖状態に施錠し、主動機構部は、遊技機のうち操作可能な位置に配置されて操作により作動し、その作動した主動機構部に従動して、従動機構部が被係合部との係合を解除する遊技機において、従動機構部と主動機構部との間を絶縁状態にしたところに特徴を有する。
【０００７】
請求項２の発明は、請求項１記載の遊技機において、施解錠機構は、別部品である２つのアッシを備え、従動機構部と主動機構部とが、別々のアッシに含められたところに特徴を有する。
【０００８】
請求項３の発明は、請求項１又は２に記載の遊技機において、従動機構部と主動機構部とには、それぞれに導電部が備えられ、それら従動機構部と主動機構部との導電部同士の間を絶縁状態にしたところに特徴を有する。
【０００９】
請求項４の発明は、請求項３記載の遊技機において、主動機構部には、解錠操作部と、解錠操作部の操作により作動する解錠作用部とが備えられ、解錠作用部は、導電部を有すると共に、作動したときに従動機構部に当接して、従動機構部と被係合部との係合を解除するための力を伝えるところに特徴を有する。
【００１０】
請求項５の発明は、請求項４記載の遊技機において、解錠操作部と、解錠作用部及び被係合部のそれぞれには、それぞれに導電部が備えられ、解錠操作部、解錠作用部、被係合部及び従動機構部との少なくとも何れか２つの導電部同士の間を絶縁したところに特徴を有する。
【００１１】
請求項６の発明は、請求項４又は５に記載の遊技機において、従動機構部及び主動機構部は、共に内枠に設けられたところに特徴を有する。
【００１２】
請求項７の発明は、請求項４乃至６の何れかに記載の遊技機において、解錠操作部は、遊技機の前面側に露出されたところに特徴を有する。
【００１３】
請求項８の発明は、請求項１乃至７の何れかに記載の遊技機において、内枠には遊技盤が固定されると共に、前面枠には透視可能な透過性部材が固定され、その透過性部材を通して遊技盤が透視されるように構成したところに特徴を有する。
【００１４】
請求項９の発明は、請求項５乃至８の何れかに記載の遊技機において、前面枠の後面には、補強金属部材が設けられ、被係合部又は従動機構部のうち前面枠に配置された何れか一方が補強金属部材に導通しているところに特徴を有する。
【００１５】
請求項１０の発明は、請求項５乃至９の何れかに記載の遊技機において、前面枠を閉鎖した状態において、従動機構部の導電部と被係合部の導電部とが導通可能であり、且つ解錠操作部の導電部と解錠作用部の導電部とが導通可能であるところに特徴を有する。
【００１６】
請求項１１の発明は、請求項１０に記載の遊技機において、前面枠を閉鎖した状態において、解錠操作部の操作時には、解錠操作部の導電部と、解錠作用部の導電部と、従動機構部の導電部と、被係合部の導電部とが導通状態となり、解錠操作部の非操作時では、解錠操作部の導電部と、解錠作用部の導電部と、従動機構部の導電部と、被係合部の導電部との少なくとも何れか２つの導電部同士の間が絶縁状態となるように構成したところに特徴を有する。
【００１７】
請求項１２の発明は、請求項１１に記載の遊技機において、解錠操作部の非操作時には、解錠操作部の導電部と、解錠作用部の導電部と、従動機構部の導電部と、被係合部の導電部との少なくとも何れか２つの導電部同士の間を離間させることで絶縁状態となるように構成したところに特徴を有する。
【００１８】
請求項１３の発明は、請求項１２に記載の遊技機において、導電部同士の間の離間距離を、３ｍｍ以上に設定したところに特徴を有する。
【００１９】
請求項１４の発明は、請求項１０に記載の遊技機において、解錠作用部の導電部と、従動機構部の導電部の相互の当接部分のうち少なくとも何れか一方を絶縁部材で覆ったところに特徴を有する。
【００２０】
請求項１５の発明は、請求項１乃至１４の何れかに記載の遊技機において、遊技盤には、電気信号を出力する電気素子が設けられると共に、遊技機の裏面側には、電気素子から信号を受けて遊技を制御する制御手段が設けられたところに特徴を有する。
【００２１】
請求項１６の発明は、請求項１乃至１５の何れかに記載の遊技機において、主動機構部には、内枠を外枠に対して閉鎖状態で施解錠する外枠施解錠機構が備えられたところに特徴を有する。
【００２２】
請求項１７の発明に係る遊技機は、遊技機のうち遊技者に臨んだ前面に、前面枠を開閉可能に設けると共に、前面枠を施解錠するための施解錠機構の解錠操作部を遊技機の前面の所定位置に露出して備えた遊技機において、前面枠の後面に補強金属部材を固定し、前面枠の前面と補強金属部材とを絶縁すると共に施解錠機構の解錠操作部と補強金属部材とを絶縁状態にしたところに特徴を有する。
【００２３】
請求項１８の発明は、請求項１７に記載の遊技機において、施解錠機構は、別部品である主動アッシと従動アッシとを備えてなり、従動アッシは、前面枠又は前面枠との対向部のうち何れか一方に配置されて、他方に備えた被係合部に係合することで前面枠を閉鎖状態に施錠し、主動アッシは、遊技機のうち操作可能な位置に配置されて操作により作動し、その作動した主動アッシに従動して、従動アッシが被係合部との係合を解除するように構成され、主動アッシの非作動時において、主動アッシと従動アッシとを絶縁状態にしたところに特徴を有する。
【００２４】
請求項１９の発明は、請求項１８に記載の遊技機において、主動アッシの非作動時には、主動アッシと従動アッシとの最も接近した部分を３ｍｍ以上離すことで絶縁状態にしたところに特徴を有する。
【００２５】
請求項２０の発明は、請求項１８に記載の遊技機において、主動アッシと従動アッシとの相互の当接部分のうち少なくとも何れか一方を絶縁部材で覆ったところに特徴を有する。
【発明の効果】
【００２６】
請求項１の遊技機では、施解錠機構に備えらた主動機構部と従動機構部との間を絶縁状態にしたから、施解錠機構を介したノイズの照射部分の拡大を規制することができる。
【００２７】
具体的には、従動機構部と主動機構部とが別々に含められた２つのアッシの間を絶縁状態にしてもよいし（請求項２の発明）、従動機構部と主動機構部とにそれぞれに備えた導電部同士の間を絶縁状態にしてもよい（請求項３の発明）。
【００２８】
また、主動機構部のうち従動機構部に当接しかつ導電部を備えた解錠作用部と従動機構部とを絶縁状態にしてもよいし（請求項４の発明）、解錠操作部、解錠作用部、被係合部及び従動機構部との少なくとも何れか２つの導電部同士の間を絶縁状態にしてもよい（請求項５の発明）。
【００２９】
さらに、従動機構部及び主動機構部が共に内枠に設けられたもの、解錠操作部が遊技機の前面側に露出されたもの、前面枠に固定した透過性部材を通して内枠に固定した遊技盤が透視されるもの、前面枠の後面に設けた補強金属部材に被係合部又は従動機構部の何れかが導通したものにおいて、従動機構部と主動機構部との間を絶縁状態にしてもよい（請求項６乃至９の発明）。
【００３０】
また、前面枠を閉鎖した状態において、従動機構部の導電部と被係合部の導電部とが導通可能であり、且つ解錠操作部の導電部と解錠作用部の導電部とが導通可能であるものにおいて、従動機構部と主動機構部との間を絶縁状態にしてもよいし（請求項１０の発明）、遊技盤に電気信号を出力する電気素子が設けられかつ遊技機の裏面側に電気素子から信号を受けて遊技を制御する制御手段が設けられたものや、主動機構部に、内枠を外枠に対して閉鎖状態で施解錠する外枠施解錠機構を備えたものにおいて、従動機構部と主動機構部との間を絶縁状態にしてもよい（請求項１５及び１６の発明）。
【００３１】
ここで、解錠操作部が遊技機の前面側に露出されたものでは、従来は、その露出部分に高電圧を印加する不正行為が懸念されたが、本発明では従動機構部と主動機構部との間を絶縁状態にしたから、そのような不正行為を行ってもノイズの照射部分が拡大せず、遊技機の誤動作被害を抑えることができる。
【００３２】
また、不正行為者は、解錠操作部を操作するための鍵又は鍵カードを有していないから、請求項１１の発明のように、解錠操作部の非操作時に、解錠操作部の導電部と、解錠作用部の導電部と、従動機構部の導電部と、被係合部の導電部との少なくとも何れか２つの導電部同士の間が絶縁状態となるようにすれば、不正ノイズの照射部分の拡大を規制することができる。
【００３３】
具体的には、解錠操作部の非操作時には、解錠操作部の導電部と、解錠作用部の導電部と、従動機構部の導電部と、被係合部の導電部との少なくとも何れか２つの導電部同士の間を離間させることで絶縁状態にすることができる（請求項１２の発明）。また、前記２つの導電部同士の間の離間距離を３ｍｍ以上に設定すれば（請求項１３の発明）、導電部同士の間にアークが発生し難くなり、発生したとしてもアーク放電の電圧降下により、ノイズの影響の低減を期待することができる。
【００３４】
また、解錠作用部の導電部と、従動機構部の導電部の相互の当接部分のうち少なくとも何れか一方を絶縁部材で覆うことでも、従動機構部と主動機構部との間を絶縁状態とすることができる（請求項１４の発明）。
【００３５】
請求項１７の遊技機では、前面枠の前面と補強金属部材とを絶縁したから、前面枠に直に高電圧を印加することはできない。また、遊技機の前面に露出した施解錠機構の解錠操作部に高電圧を印加しても、前面枠の後面に固定された補強金属部材と解錠操作部とを絶縁状態にしたから、前面枠の補強金属部材には高電圧がかからない。これにより、不正行為によって、前面枠から遊技盤に向けてノイズを照射されることを防止することができる。
【００３６】
具体的には、施解錠機構に主動アッシと従動アッシとが備えられたものでは、それらアッシの間を絶縁状態にすればよい（請求項１８の発明）。また、絶縁状態にするためには、主動アッシの非作動時に、主動アッシと従動アッシとの最も接近した部分を３ｍｍ以上離すことで絶縁状態にしてもよいし（請求項１９の発明）、主動アッシと従動アッシとの相互の当接部分のうち少なくとも何れか一方を絶縁部材で覆ってもよい（請求項２０の発明）。
【発明を実施するための最良の形態】
【００３７】
［第１実施形態］
以下、本発明を適用したパチンコ遊技機に係る第１実施形態を、図１〜図１９に基づいて説明する。本実施形態のパチンコ遊技機は、図１に示した枠体８０に、遊技機本体８１（図３参照）を組み付けてなる。
【００３８】
遊技機本体８１に備えた遊技盤１１の前面には、図２に示すように、ガイドレール１２に囲まれたほぼ円形の遊技領域Ｒ１が備えられ、その遊技領域Ｒ１のほぼ中央部には、液晶表示装置１３が設けられている。遊技領域Ｒ１のうち液晶表示装置１３の下方には、始動入賞口１４、大入賞口１５及び外れ球受け入れ口１６が上から順に間隔を開けて並べて設けられている。また、遊技領域Ｒ１のうち液晶表示装置１３、及び始動入賞口１４等を挟んだ左右の両側には、上から順に、ランプ風車１７、始動ゲート１８及び風車１９、一般入賞口２０，２１が設けられている。これら各入賞口１４，１５，２０，２１及び始動ゲート１８には、遊技球の入賞又は通過を検出するための遊技球検出スイッチ（本発明の「電気素子」に相当する）が内蔵されている。
【００３９】
なお、ガイドレール１２に沿った両側部には、円弧状のサイドランプ２２，２２が設けられている。また、各入賞口等の役物以外に、遊技領域Ｒ１には、図示しない複数の釘が起立している。
【００４０】
前記した始動入賞口１４は、上下に２つの開口を備え、上側の開口は、常に遊技球が入賞可能となっているが、下側の開口はその両側に設けた可動翼片１４Ｃ，１４Ｃにて、通常は遊技球の入賞が規制されている。そして、後述する７セグメントＬＥＤ２４の停止表示が奇数になると、遊技盤１１の裏に設けたソレノイド（図示せず）が駆動されて、可動翼片１４Ｃ，１４Ｃが所定期間に亘って横に倒され、下側の開口への入賞を許容した状態になる。
【００４１】
大入賞口１５は、横長に形成されて、常には可動扉１５Ｔにて閉塞されている。そして、パチンコ遊技機が「大当たり状態」になると、遊技盤１１の裏に設けたソレノイド（図示せず）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。
【００４２】
液晶表示装置１３は、装飾枠２３の内側部分を遊技盤１１より陥没させて、その奥部にＴＦＴ−ＬＣＤモジュールを備えてなる。装飾枠２３の上辺中央には、７セグメントＬＥＤ２４が備えられている。この７セグメントＬＥＤ２４は、前記始動ゲート１８内に設けた普通図柄始動スイッチが、遊技球の通過を検出したときに、「０」〜「９」までの数字を変動表示し、所定期間経過後に所定の数字を停止表示する。
【００４３】
液晶表示装置１３には、３つの特別図柄が横並びに表示されている（図示せず）。各特別図柄は、それぞれ例えば「０」〜「１１」の１２種類の数字体で構成されており、通常は、各特別図柄ごとに所定の種類のものが停止表示されている。そして、前記始動入賞口１４に遊技球が入賞したときには、各特別図柄が、上下方向にスクロールして変動表示され、所定時間後に、例えば、左、右、中の順に各特別図柄が停止表示される。このとき、これら特別図柄が、例えば、ぞろ目になったか否かにより、遊技の当たり外れが判定される。
【００４４】
遊技盤１１の裏面には、図示しないダクトが取り付けられており、各入賞口１４，１５，２０，２１及び外れ球受け入れ口１６に入った遊技球が、このダクトを通って遊技盤１１の下端部に集められる。
【００４５】
また、遊技盤１１の裏面には、図６に示した機構板７５が固定されている。機構板７５は、絶縁性の合成樹脂で構成され、全体として遊技盤１１より縦方向に長い矩形状をなす。機構板７５の一方の側部には、１対のヒンジピン７１，７１が取り付けられ、これらヒンジピン７１，７１が、後述する枠体８０の内枠９０に設けたヒンジ板７１Ａ，７１Ａに上方から差し込まれ、機構板７５が内枠９０に対して回動可能となっている。そして、機構板７５は、図６に示されたナイラッチ６８とストッパー６７とを、内枠９０及び遊技盤１１の各部位に係止することで通常は回動不能に固定されている。
【００４６】
図３に示すように、機構板７５のうち上下方向のほぼ中央には、透明な筐体状の樹脂カバー７６が、着脱可能に取り付けられている。この樹脂カバー７６の内部には、図４に示すように主制御装置５０、ランプ制御装置５５、音声制御装置５６及び図柄制御装置５７が収容されている。また、機構板７５のうち樹脂カバー７６より右下方には、払出制御装置５８が取り付けられている。これら各制御装置５０，５５，５６，５７，５８が本発明に係る「制御手段」に相当する。
【００４７】
なお、機構板７５のうち樹脂カバー７６より左下方には、電源装置７０が取り付けられている。また、上述した各装置５０，５５〜５８，７０は、さらに個々に透明な樹脂ケースに収容されている。
【００４８】
また、前記主制御装置５０は、ＣＰＵとＲＯＭ及びＲＡＭを合わせてパッケージしてなるワンチップマイコンを主要部として備え、定期リセット回路にて生成した割り込みパルスに基づき、ＲＯＭに記憶した種々のプログラムをランすることで、遊技機を統括制御する。
【００４９】
前記ランプ制御装置５５は、後述する枠体８０に備えた装飾ランプ９６、左右のサイドランプ２２，２２、及び、液晶表示装置１３の装飾枠２３等への電力供給をオンオフする駆動回路を内蔵して備え、主制御装置５０から受けた信号に基づき、前記駆動回路を作動させて、各ランプ、ＬＥＤを駆動制御する。
【００５０】
前記音声制御装置５６は、主制御装置５０から受けた信号に基づいて、所定の音声信号を図示しないＲＯＭから取り出し、これをアナログ信号に変換及び増幅して後述するスピーカ５９Ｓから音を出力させる。
【００５１】
前記図柄制御装置５７は、主制御装置５０から受けた信号を表示用ＣＰＵで処理すると共に、表示用ＣＰＵの処理結果に基づき、ＶＤＰ（図示せず）にて画像データを生成して、これを液晶表示装置１３へと出力する。
【００５２】
前記払出制御装置５８は、主制御装置５０から受けた信号に基づき、所定数の遊技球を賞球として、後述の上皿２７Ａに払い出す。
【００５３】
前記電源装置７０は、パチンコホールに備えたＡＣ２４Ｖ設備電源から電力を受け、これを所定の電圧に変圧して各部位に配電する。
【００５４】
遊技機本体８１の構成は、以上のようであり、遊技機本体８１は、以下に説明する枠体８０に着脱可能に取り付けられている。
【００５５】
図５に示すように、枠体８０は、外枠８２に対して内枠９０を回動可能に備えてなる。外枠８２は、４つの木製の長板を縦長矩形状に接合してなり、外枠８２の一方の側辺に備えたヒンジ９２を中心にして内枠９０が回動可能に組み付けられている。また、外枠８２のうちヒンジ９２と反対側の内側面には、その上下の端寄りの２箇所に、１対の被係止部８６，８６が取り付けられている。被係止部８６は、例えば金属板を概Ｌ字状に折り曲げてなり、そのＬ字の一辺が外枠８２の内面に敷設してねじ止めされ、他辺が外枠８２の内面から起立している。
【００５６】
なお、外枠８２のうちヒンジ９２を備えた側の外側面には、図１に示すように、プリペードカードユニット１５０が取り付けられる。
【００５７】
内枠９０は、絶縁性の樹脂成形品であり、遊技窓９０Ｗを備える。内枠９０の後面には、図６に示すように、遊技窓９０Ｗを囲む囲壁９３が形成されており、その囲壁９３の上端部の複数箇所には、複数の係止爪１１４が設けられている。そして、図７に示すように、前記遊技盤１１が囲壁９３の内部に嵌合されて係止爪１１４にて抜け止めされている。また、内枠９０の裏面のうち囲壁９３の一側方には、金属製のヒンジ板７１Ａ，７１Ａが固定されており、ここに前述のごとく機構板７５のヒンジピン７１が回転可能に係止されている。
【００５８】
図８に示すように、内枠９０の前面には、遊技窓９０Ｗに重ねて前面枠９５が設けられている。前面枠９５は、外枠８２と内枠９０とを結合するヒンジ９２と同じ側にヒンジ９５Ｈを備え、内枠９０に対して回動する。また、前面枠９５は絶縁性の樹脂成形品であり、その後面には補強金属部材１６０（図９参照）が敷設されてボルト固定されている。さらに、補強金属部材１６０の後面には、４つの金属帯１６１Ｔ（図９参照）を枠状に接合してなる矩形フレーム１６１がスポット溶着されており、その１６１の内側にガラス板９５Ｇ（図８参照。本発明の「透過性部材」に相当する）が保持されている。
【００５９】
矩形フレーム１６１のうち前記ヒンジ９５Ｈと反対側の一側辺には、本発明に係る１対の被係合部１６２，１６２が設けられている。被係合部１６２は、矩形フレーム１６１に１対の金属小部品を固着してなる。従って、本実施形態において発明に係る被係合部１６２は、内枠９０と前面枠９５のうち前面枠９５側に設けられると共に導電部を備え、その前面枠９５に備えた補強金属部材１６０に導通した構成になっている。
【００６０】
図８に示すように、内枠９０のうち前面枠９５の下方には、横長の回動板９７が、前面枠９５と同様に、内枠９０に対して回動可能に取り付けられている。また、この回動板９７には、上皿２７Ａが取り付けられ、内枠９０のうち回動板９７の下方に、下皿２７Ｂが取り付けられている。そして、遊技を行った場合の賞球としての遊技球が、上皿２７Ａに払い出され、上皿２７Ａに設けたボタン２９を押すと、上皿２７Ａから下皿２７Ｂに遊技球が移動する。
【００６１】
上皿２７Ａの左右の両端部寄り位置には、１対のスピーカ５９Ｓ，５９Ｓが設けられると共に、下皿２７Ｂの右端部には、操作ノブ２８が設けられている。これらスピーカ５９Ｓ、操作ノブ２８及び前記装飾ランプ９６等は、遊技機本体８１の所定の電気回路にコネクタ接続されている。そして、操作ノブ２８を操作することで、上皿２７Ａに収容された遊技球が遊技盤１１上に向けて弾き出され、遊技の進行状況に応じて、装飾ランプ９６及びスピーカ５９Ｓが駆動される。
【００６２】
上述した内枠９０及び前面枠９５は、以下に説明する施解錠機構２００により、閉止状態に施錠される。施解錠機構２００は、図１０に示した主動アッシ１００と従動アッシ１７０とを備えてなり、これら両アッシ１００，１７０は内枠９０のうちヒンジ９２（図８参照）と反対側の側縁部に取り付けられている。
【００６３】
なお、主動アッシ１００は、本発明の「主動アッシ」及び「主動機構部」に相当し、従動アッシ１７０は、本発明の「従動アッシ」及び「従動機構部」に相当する。また、両アッシ１００，１７０は、全て本発明の「導電部」に相当する金属部品を組み付けてなる。
【００６４】
まず、主動アッシ１００について詳細に説明する。主動アッシ１００は、図１１に示すように、上下方向に延びた固定基部１０１と、その固定基部１０１の両端部に配された１対の係止部材１０２，１０２とを備える。係止部材１０２は、図１２に示すように、水平方向に延びた金属板の途中部分に上方に開放した切り欠きを備え、その切り欠きより先端側が矢尻状の係止部１０３になっている。
【００６５】
固定基部１０１は、内枠９０にねじ止めされる固定壁１０４の一側縁部から、直立壁１０５が略垂直に起立している。直立壁１０５の上下の両端部には、前記各係止部材１０２のうち係止部１０３と反対側の後端部が重ねられて、ピン１０２Ｐ（図１３参照）にて回動可能に取り付けられている。
【００６６】
直立壁１０５の長手方向の中間部分には、図１２に示すように、上下動ピース１０７が組み付けられている。上下動ピース１０７は、直立壁１０５に重ねられた本体部から解錠作用片１０７Ａ（本発明の「解錠作用部」に相当する）を起立して備え、その解錠作用片１０７Ａが、直立壁１０５に形成した長孔１０５Ａに挿通されている。そして、上下動ピース１０７は、固定壁１０４との間に取り付けたコイルバネ１０８にて上方に付勢されており、常には、解錠作用片１０７Ａが、長孔１０５Ａの上端部に位置している。
【００６７】
解錠作用片１０７Ａの先端部には、下向きに開放した隙間形成凹所１０７Ｂが形成されている。隙間形成凹所１０７Ｂは、図１９に示すように、従動アッシ１７０に設けた連結レバー１８４の厚さ寸法より幅広になっている。
【００６８】
直立壁１０５には、図１２に示すように上下動ピース１０７に重ねて、リンク部材１０９が敷設され、そのリンク部材１０９の両端部が、前記両係止部材１０２の後端部に、ピン１０９Ｐにて連結されている（図１３参照）。これにより、両係止部材１０２，１０２とリンク部材１０９とでリンク機構が構成され、係止部材１０２，１０２が連動して傾動する。
【００６９】
図１２に示すように、リンク部材１０９の長手方向の中間部分には、位置決め突部１１２が突出しており、この位置決め突部１１２が、直立壁１０５の上縁部に形成した規制壁１１１，１１１の間に配置され、リンク部材１０９の上下移動が所定のストロークの範囲に規制されている。そして、リンク部材１０９を、前記ストロークの下端に移動すると、各係止部材１０２が水平姿勢になって各係止部１０３が、施錠位置に位置する。一方、リンク部材１０９をストロークの上端に移動すると、各係止部材１０２が斜め下方を向いた姿勢になって、各係止部１０３が、解錠位置に位置する。
【００７０】
また、リンク部材１０９は、固定壁１０４との間に取り付けたコイルバネ１１０により、下方に付勢されており、これにより、両係止部材１０２の各係止部１０３が、常には、施錠位置に保持されている。
【００７１】
図１１に示すように、固定基部１０１のうち固定壁１０４の長手方向の中間部分には、本発明に係る解錠操作部１２０が設けられている。解錠操作部１２０は、図１２に示すように金属ブロックの後端にフランジを備えた構造をなし、固定壁１０４に貫通形成した取付孔１２０Ａに、直立壁１０５が起立した側から挿入され、フランジが固定壁１０４にねじ止めされている。また、解錠操作部１２０は、金属ブロックの先端側に開放した鍵穴（図１４参照）を備え、その鍵穴に挿入した鍵と共に回動する軸体１２１が、金属ブロックの後端部から突出している。また、軸体１２１の突出部分に解錠爪１２２が固定されている。そして、図示しない鍵を解錠操作部１２０に挿入して、時計回り方向に回すことで、解錠爪１２２によりリンク部材１０９が上方に押されて各係止部１０３が回動する一方、鍵を反時計回り方向に回すことで、解錠爪１２２により上下動ピース１０７が下方に押されて移動する。
【００７２】
図１２に示すように、固定基部１０１には、側部保護壁１３１と上部保護壁１３２とが形成されている。側部保護壁１３１は、固定基部１０１の固定壁１０４のうち直立壁１０５と反対側に縁部から起立して、直立壁１０５に対向している。また、側部保護壁１３１は、固定壁１０４からの高さが直立壁１０５より低いが、外枠８２と内枠９０との側方の隙間を枠体８０の内側から覆うには十分な高さをなし、固定基部１０１の長手方向の全体に亘って形成されている。これにより、外枠８２と内枠９０との側方の隙間から不正に工具を挿入して主動アッシ１００を作動させることができないようにしてある。
【００７３】
一方、上部保護壁１３２は、図１２に示すように直立壁１０５の上端縁から側部保護壁１３１に向かって直角に立ち上がり、係止部材１０２の上方を覆っている。上部保護壁１３２は、平面形状がＬ字形をなし、そのＬ字のうち直立壁１０５の上縁部に沿った一辺が、係止部材１０２及びリンク部材１０９の一部を上方から覆っている。これにより、外枠８２と内枠９０との上方の隙間から不正に工具を挿入して主動アッシ１００を作動させることができないようにしてある。
【００７４】
主動アッシ１００については以上であり、次に従動アッシ１７０について説明する。図１５に示すように、従動アッシ１７０は、上下方向に延びた固定基部１７１を備え、その固定基部１７１は、パチンコ遊技機における後方を向いた固定壁１７３の一側縁部から前方に直立壁１７４を起立した構造をなす。
【００７５】
図１６に示すように、直立壁１７４のうち長手方向の両端部には、前方に向かって開放した１対の切り欠き１７５，１７５が形成されている。また、直立壁１７４のうち長手方向の中央部には、後方に向かって開放した凹部１７６が形成されている。さらに、凹部１７６の上方縁部には、上側回動片１７７の上端部がリベット止めされて、その上側回動片１７７が凹部１７６内に垂下している。
【００７６】
上側回動片１７７の下端部からは直立壁１７４から張られる側に向けてストッパ片１７７Ａが起立しており、上側回動片１７７の中間部分からは直立壁１７４側に向けて受圧片１７７Ｂが起立している。
【００７７】
上側回動片１７７のうち回動中心の近傍にはコイルバネ１９０の上端部が係止されており、このコイルバネ１９０により、上側回動片１７７のストッパ片１７７Ａが、凹部１７６の奥壁１７６Ａに当接するように付勢されている。
【００７８】
直立壁１７４には、上側回動片１７７と反対側の面にスライダ１７２が敷設されている。スライダ１７２は、上下方向に延びた金属板の両端部に、前方に向かって開放した１対の切り欠き１７８，１７８を備えており、各切り欠き１７８の奥部には、係合フック１７９が形成されている。また、図１５に示すように、スライダ１７２の切り欠き１７８と固定基部１７１の切り欠き１７５とが対応した配置となっている。さらに、スライダ１７２に形成した矩形孔１８１には、上側回動片１７７の受圧片１７７Ｂが遊嵌されている。
【００７９】
スライダ１７２のうち両切り欠き１７５，１７５寄りの両端部には、１対の長孔１８０，１８０が形成され、各長孔１８０に通したリベット（図示せず）が固定基部１７１の直立壁１７４に圧着されている。そして、リベットのヘッド部が、長孔１８０の縁部に当接し、スライダ１７２が長孔１８０に沿った方向にスライド可能に保持されている。なお、長孔１８０は、若干上下方向より傾いており、これによりスライダ１７２は、上下スライドに伴って前面枠９５に接離する方向に若干スライドする。
【００８０】
スライダ１７２の長手方向の下端寄り位置には、直立壁１７４に向けて回動規制片１８２が起立しており、スライダ１７２のうち回動規制片１８２より上方には、下側回動片１８３の下端部が回動可能にリベット止めされている。また、この下側回動片１８３は、基端部が回動規制片１８２に当接することで、一方への回動が規制され、上端部が凹部１７６の縁部に当接することで他方への回動が規制されている。さらに、上側回動片１７７に取り付けられた前記コイルバネ１９０の下端部が、下側回動片１８３の一部に係止されている。このコイルバネ１９０により、下側回動片１８３の上端部が凹部１７６の奥壁１７６Ａに当接した状態に付勢されると共に、スライダ１７２全体が、スライドストロークの上方に付勢されている。
【００８１】
下側回動片１８３の上端部寄り位置には、ストッパ受部１８５が形成されている。そして、従動アッシ１７０の非作動時では、上述の如く下側回動片１８３の上端部が凹部１７６の奥壁１７６Ａに当接して、ストッパ受部１８５が、凹部１７６の奥壁１７６Ａから若干離れて位置している。これにより、従動アッシ１７０の非作動時では、ストッパ受部１８５と前記上側回動片１７７のストッパ片１７７Ａとが非対向状態となり、ストッパ受部１８５とストッパ片１７７Ａとが当接することなく、スライダ１７２を図１７に示すように下側回動片１８３と共に下方にスライドさせることができる。
【００８２】
また、上側回動片１７７の受圧片１７７Ｂが前方から押されて、ストッパ片１７７Ａが凹部１７６の奥壁１７６Ａから離れると、ストッパ片１７７Ａとストッパ受部１８５と上下方向で対向し、スライダ１７２を下方にスライドさせることができなくなる。この状態で、下側回動片１８３を凹部１７６の奥壁１７６Ａから離す方向に回動すると、ストッパ受部１８５とストッパ片１７７Ａとが非対向状態になり、スライダ１７２を下方にスライドすることができるようになる。
【００８３】
下側回動片１８３の中間部には、連結レバー１８４がリベット止めされている。連結レバー１８４は、図１６に示すように、基端部に備えた突片１８４Ｓを下側回動片１８３の一部に当接して、常には、水平方向姿勢になっており、不使用時には連結レバー１８４を直立姿勢にすることができる。また、水平姿勢の連結レバー１８４を下方に下げると、下側回動片１８３が凹部１７６の奥壁１７６Ａ側から離れるように回動して、前述の如く、スライダ１７２を下方にスライドすることができるようになる。
【００８４】
従動アッシ１７０の構成は以上である。次に、これら主動アッシ１００及び従動アッシ１７０の組み付けについて説明する。
【００８５】
図１８に示すように、主動アッシ１００は、内枠９０の後面に固定壁１０４を敷設してねじ止めされている。これにより、図５示すように、主動アッシ１００の係止部１０３，１０３が外枠８２に設けた被係止部８６，８６と対向し、外枠８２に対して内枠９０を閉鎖状態にしたときに、これら係止部１０３と被係止部８６とが係止して施錠される。これらにより、本発明に係る「外枠施解錠機構」が構成されている。また、主動アッシ１００に備えた解錠操作部１２０の端面は、図１に示すように、内枠９０の前面に露出される。そして、ここから図示しない鍵を挿入して解錠操作することができる。
【００８６】
一方、従動アッシ１７０は、図１８に示すように、内枠９０の前面に固定壁１７３を敷設してねじ止めされている。これにより、図８に示すように、従動アッシ１７０の係合フック１７９，１７９が前面枠９５に設けた被係合部１６２，１６２と対向し、内枠９０に対して前面枠９５を閉鎖状態にしたときに、これら係合フック１７９と被係合部１６２とが係止して施錠される。このとき、従動アッシ１７０の受圧片１７７Ｂが前面枠９５により押され、ストッパ片１７７Ａとストッパ受部１８５とが上下方向で対向し、スライダ１７２が下方にスライド不能となる。
【００８７】
また、図１０に示すように、内枠９０のうち従動アッシ１７０を取り付けた部位には、内枠９０の前後に貫通した孔１８４Ｚが形成されており、従動アッシ１７０の連結レバー１８４がこの孔１８４Ｚに通されて、内枠９０の後面側に突出している。そして、この従動アッシ１７０の連結レバー１８４の上方に、主動アッシ１００の解錠作用片１０７Ａが交差している。詳細には、図１９に示すように解錠作用片１０７Ａの隙間形成凹所１０７Ｂ内に連結レバー１８４の上縁部が配されかつ連結レバー１８４が隙間形成凹所１０７Ｂの内面から離れている。これにより、主動アッシ１００と従動アッシ１７０とは絶縁状態になっている。
【００８８】
次に、上記構成からなる本実施形態の作用・効果を説明する。
遊技場に設置したパチンコ遊技機に、例えばトラブルが生じた場合に、内枠９０が開かれる。そのためには、遊技場の管理者が、鍵をパチンコ遊技機の解錠操作部１２０に挿入して、時計回り方向に回せばよい。すると、解錠操作部１２０に備えた解錠爪１２２により、主動アッシ１００のリンク部材１０９が上方に引き上げられ、係止部１０３が施錠位置から解錠位置に移動し、係止部１０３と被係止部８６との係合が解除される。これにより、図５に示すように、内枠９０を開くことができる。
【００８９】
また、例えば遊技盤１１に遊技球が詰まった場合には、前面枠９５が開かれる。この場合は、鍵を解錠操作部１２０に挿入して反時計回り方向に回せばよい。すると、解錠爪１２２により、主動アッシ１００の上下動ピース１０７が下方に引き下げられる。すると、上下動ピース１０７に備えた解錠作用片１０７Ａが、その下方にある従動アッシ１７０の連結レバー１８４に当接する。この状態で、さらに解錠作用片１０７Ａが下方に下げられると、連結レバー１８４に下向きの力がかかり、下側回動片１８３が回動して、下側回動片１８３のストッパ受部１８５が上側回動片１７７のストッパ片１７７Ａとが非対向状態になる。この状態で、下側回動片１８３が押し下げられてスライダ１７２が下方にスライドする。これにより、係合フック１７９と前面枠９５に設けた被係合部１６２との係合が解除される。即ち、鍵を用いた解錠操作により主動アッシ１００が作動し、その主動アッシ１００の動作に従動アッシ１７０が従動して、前面枠９５が解錠される。また、解錠されたときには、スライダ１７２のうち切り欠き１７８の傾斜した内面（図１５参照）に被係合部１６２が摺接して、前面枠９５が開放側に押し出される。
【００９０】
開いた前面枠９５を閉じて施錠するには、前面枠９５を内枠９０に押し付ければよい。すると、係合フック１７９の先端に備えた傾斜部分（図１５参照）が、被係合部１６２に摺接して、スライダ１７２が下方にスライドする。そして、係合フック１７９が、被係合部１６２を乗り越えたところで、コイルバネ１９０の弾発力にてスライダ１７２が上方にスライドして戻り、係合フック１７９の奥部の垂直面が、被係合部１６２に係合する。これにより、前面枠９５を内枠９０から離す方向に引っ張っても、係合フック１７９と被係合部１６２との係合は解除されず、前面枠９５が閉止状態に施錠される。また、開いた内枠９０を閉じて施錠する場合も同様に、内枠９０を外枠８２に押し付ければよい。
【００９１】
内枠９０及び前面枠９５が閉止状態で施錠された状態になると、主動アッシ１００における係合フック１７９がコイルバネ１０８の付勢力によって上方位置に戻ると共に、従動アッシ１７０におけるスライダ１７２がコイルバネ１９０の付勢力によって上方位置に戻る。すると、図１９に示すように、解錠作用片１０７Ａの隙間形成凹所１０７Ｂ内に連結レバー１８４の上縁部が配されて、連結レバー１８４と隙間形成凹所１０７Ｂの内面との間に隙間が形成され、これにより、主動アッシ１００と従動アッシ１７０とは絶縁状態になる。
【００９２】
さて、何らかの原因でパチンコ遊技機の前面側又は後面側に例えば静電気が発生した場合、施解錠機構２００を通してパチンコ遊技機の前面と後面との間で電気が流れ、電位的ノイズの分散が心配される。しかしながら、本実施形態によれば、施解錠機構２００は、主動アッシ１００と従動アッシ１７０との２つのアッシを備えてなり、それらアッシ１００，１７０の間が絶縁状態になっているから、施解錠機構２００を通じてパチンコ遊技機の前面側と後面側との間で電気が流れることが防止される。これにより、電気的ノイズの照射部分の拡大を規制することができる。
【００９３】
ところで、遊技場において電子ライター等を用いてパチンコ遊技機に高電圧を与え、各入賞口１４，１５等に備えた遊技球検出スイッチを誤作動させて、不正に賞球の獲得するという不正行為に対しては以下のようである。本実施形態の遊技機では、前面枠９５のうち遊技者に臨む前面は絶縁性の合成樹脂で構成されているから、前面枠９５に、直に高電圧を印加することはできない。このため、パチンコ遊技機の前面に露出した施解錠機構２００の解錠操作部１２０に高電圧を印加することが考えられる。しかしながら、解錠操作部１２０に高電圧が印加されても、その主動アッシ１００と従動アッシ１７０との間は隙間により、前面枠９５に固定された補強金属部材１６０と前記解錠操作部１２０との間は絶縁状態になり、補強金属部材１６０には高電圧がかからない。これにより、不正行為によって、前面枠９５から遊技盤１１に向けてノイズを照射されることを防止することができる。
【００９４】
このように、本実施形態のパチンコ遊技機によれば、施解錠機構２００に備えられた主動アッシ１００と従動アッシ１７０との間を絶縁状態にしたから、施解錠機構２００を通じて電気が流れることが防止され、パチンコ遊技機において電気的ノイズの照射部分の拡大を規制することができる。また、不正行為により、前面枠９５に固定した補強金属部材１６０から遊技盤１１に向けてノイズを照射することも防止可能である。
【００９５】
なお、主動アッシ１００と従動アッシ１７０との間に隙間を設けること、即ち、離間させることで両アッシ１００，１７０の間を絶縁状態とするには、離間距離を３ｍｍ以上に設定することが好ましい。その理由としては、離間距離を３ｍｍ以上に設定すれば、両アッシ１００，１７０の導電部同士の間にアークが発生し難くなり、発生したとしてもアーク放電の電圧降下により、ノイズの影響の低減を期待することができるからである
【００９６】
［第２実施形態］
本実施形態のパチンコ遊技機における施解錠機構２００は、図２０に示されており、本実施形態の主動アッシ１００に備えた解錠作用片１０７Ａ’は、前記隙間形成凹所１０７Ｂを有しない突片構造となっている。一方、連結レバー１８４には、絶縁性の樹脂キャップ１９９が嵌着されている。その他の構成は、前記第１実施形態と同様である。
本実施形態の構成により、主動アッシ１００と従動アッシ１７０との間を絶縁状態にしても、前記第１実施形態と同様の作用効果を奏する。
【００９７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１及び第２の実施形態においては、遊技機の一例としてパチンコ遊技機を例示したが、本発明はこれに限られず、前面枠を施解錠可能とした遊技機であれば、全てに適用することができる。即ち、例えば、コイン遊技機やスロットマシン等に本発明を適用してもよい。
【００９８】
（２）前記第１及び第２の実施形態では、主動アッシ１００は内枠９０に固定されていたが、主動アッシを外枠に固定したものに本発明を適用してもよい。
【００９９】
（３）前記第１及び第２の実施形態では、従動アッシ１７０は内枠９０に固定されていたが、従動アッシを前面枠に固定したものに本発明を適用してもよい。
【０１００】
（４）第１及び第２の実施形態では、主動アッシ１００及び従動アッシ１７０は共に金属部品だけを組み付けてた構成であったが、一部に絶縁部品を含んでいてもよい。また、主動アッシ又は従動アッシに、絶縁部品を介在させることで、解錠操作部から従動アッシへと電流が流れないように構成してもよい。
【図面の簡単な説明】
【０１０１】
【図１】本発明の第１実施形態のパチンコ遊技機に備えた枠体の前方斜視図
【図２】パチンコ遊技機の前面図
【図３】パチンコ遊技機の後方斜視図
【図４】パチンコ遊技機の後面図
【図５】外枠に対して内枠を開いた状態の斜視図
【図６】内枠と遊技盤と機構板の斜視図
【図７】内枠に遊技盤を組み付けた状態の後方斜視図
【図８】前面枠を開いた状態の斜視図
【図９】前面枠の分解斜視図
【図１０】施解錠機構を内枠に組み付けた状態の斜視図
【図１１】主動アッシの組み付け状態の斜視図
【図１２】主動アッシの分解斜視図
【図１３】主動アッシの側面図
【図１４】主動アッシの後方斜視図
【図１５】主動アッシ及び従動アッシの斜視図
【図１６】従動アッシの分解斜視図
【図１７】従動アッシの動作を示した分解斜視図
【図１８】主動アッシ及び従動アッシと内枠の分解斜視図
【図１９】解錠作用片と連結レバーとの対向状態を示した斜視図
【図２０】第２実施形態の解錠作用片と連結レバーとの対向状態を示した斜視図
【符号の説明】
【０１０２】
１１…遊技盤
５０，５５，５６，５７，５８…制御装置（制御手段）
８２…外枠
８６…被係止部
９０…内枠
９５…前面枠
１００…主動アッシ（「主動アッシ」「主動機構部」）
１０７Ａ，１０７Ａ’…解錠作用片（解錠作用部）
１０７Ｂ…隙間形成凹所
１２０…解錠操作部
１６０…補強金属部材
１６２…被係合部
１７０…従動アッシ（「従動アッシ」「従動機構部」）
１８４…連結レバー
１９９…樹脂キャップ
２００…施解錠機構
【図１】
2004209296.tif 000003
【図２】
2004209296.tif 000004
【図３】
2004209296.tif 000005
【図４】
2004209296.tif 000006
【図５】
2004209296.tif 000007
【図６】
2004209296.tif 000008
【図７】
2004209296.tif 000009
【図８】
2004209296.tif 000010
【図９】
2004209296.tif 000011
【図１０】
2004209296.tif 000012
【図１１】
2004209296.tif 000013
【図１２】
2004209296.tif 000014
【図１３】
2004209296.tif 000015
【図１４】
2004209296.tif 000016
【図１５】
2004209296.tif 000017
【図１６】
2004209296.tif 000018
【図１７】
2004209296.tif 000019
【図１８】
2004209296.tif 000020
【図１９】
2004209296.tif 000021
【図２０】
2004209296.tif 000022